(57)【要約】【課題】ドライバの要求モータトルクを制限する上限値をモータ回転数の関数とするマップ用いて設定する場合において、モータ回転数の振動に伴って上限トルクの制限値が変動することを防止して、電動モータへの指示トルクの変動を抑えて、全開加速時の駆動系の捩じり共振の助長を防止することを目的とする。【解決手段】アクセル開度と車速に応じて要求モータトルクを算出する要求トルク算出手段３５と、電動モータの上限トルクを設定したモータトルク上限マップ４７と、該モータトルク上限マップを用いて上限トルクを算出する上限トルク算出手段３７と、要求トルクを制限する上限トルク制限手段３９と、上限トルク制限手段３９によって制限されたトルク指令値を出力するトルク指令値出力手段４１と、上限トルク算出手段３７に入力されるモータ回転数信号から駆動系の捩じり共振周波数の振動を抑制するフィルタ手段４３と、を備えることを特徴とする。【選択図】図２
2014128088.tif 000002
【特許請求の範囲】
【請求項１】
駆動輪に電動モータからのトルクを伝達する駆動系に生じる捩り振動を抑制する電動車両の駆動系制振制御装置において、
アクセル開度と車速に応じて要求モータトルクを算出する要求トルク算出手段と、
電動モータの回転数に対する上限トルクを設定したモータトルク上限マップと、
該モータトルク上限マップを用いて、モータ回転数検出手段によって検出されたモータ回転数に対する上限トルクを算出する上限トルク算出手段と、
前記要求トルク算出手段によって算出された要求トルクに対して、前記上限トルク算出手段によって算出された上限値によって前記要求トルクを制限する上限トルク制限手段と、
前記上限トルク制限手段によって制限されたトルク指令値を電動モータへのトルク指令値として出力するトルク指令値出力手段と、
前記モータ回転数検出手段から前記上限トルク算出手段に入力されるモータ回転数信号に対して、前記駆動系の捩じり共振周波数を含む周波数帯域の振動を抑制するフィルタ手段と、
を備えたことを特徴とする電動車両の駆動系制振制御装置。
【請求項２】
前記フィルタ手段は、ローパスフィルタによって構成され、カットオフ周波数が前記駆動系に生じる捩り振動の１次の共振周波数以下であることを特徴とする請求項１記載の電動車両の駆動系制振制御装置。
【請求項３】
前記駆動系に生じる捩り振動は、前記モータの低回転時における全開加速時の振動であり、前記１次の共振周波数は予め算出または試験によって設定されることを特徴とする請求項２記載の電動車両の駆動系制振制御装置。
【請求項４】
前記モータトルク上限マップは、横軸にモータ回転数をとり、縦軸にトルク上限値が設定された２次元マップからなり、中回転数領域までは一定のトルク上限値であり、その後回転数の増加に伴ってトルク上限値が減少するように設定されていることを特徴する請求項１記載の電動車両の駆動系制振制御装置。
【請求項５】
前記電動車両が前輪側の電動モータと、後輪側の電動モータとをそれぞれ備え、前輪側の電動モータからのトルクを伝達する前輪駆動系と、後輪側の電動モータからのトルクを伝達する後輪駆動系とにそれぞれ対応した別々のフィルタ手段が設けられることを特徴とする請求項１記載の電動車両の駆動系制振制御装置。
【発明の詳細な説明】
【技術分野】
【０００１】
本発明は、電動車両の駆動系制振制御装置に関するものであり、特に、電動車両のモータ全開加速時に生じる駆動系の捩じり共振の発生を抑制する駆動系制振制御装置に関する。  
【背景技術】
【０００２】
電動車両においては、モータの全開加速時、特に低回転時からの全開加速時においては起振力が大きいこともありドライブシャフトを含む駆動系に捩じり共振が発生しやすい。
この共振に対して、モーターマウントの支持ブッシュの非線形特性の改善や、捩じり共振のバネ要素に相当するドライブシャフトの剛性増大等で対応しているが十分な対策ではなかった。
【０００３】
このような、モータ全開加速時の駆動系に生じる捩り振動対策の先行技術としては、特許文献１（特開２０００−１２５４１０号公報）が知られている。
特許文献１には、図４に示すように、回転速度検出器により電動機の回転速度Ｎを検出し、この回転速度Ｎにより振動抑制成分演算手段１００で回転速度の振動成分ΔＮを算出し、この算出された振動成分ΔＮと、トルク指令演算部１１０で算出された電動機のトルク指令Ｔとを加算して、振動抑制補正後トルク指令Ｔ'となし、この振動抑制補正後トルク指令Ｔ'通りの出力トルクを発生すべく電流制御演算部１２０において電動機に流れる電流を制御することが示されている。
【先行技術文献】
【特許文献】
【０００４】
【特許文献１】特開２０００−１２５４１０号公報
【発明の概要】
【発明が解決しようとする課題】
【０００５】
しかしながら、特許文献１に開示されている技術は、電動機の回転速度Ｎより算出した振動成分ΔＮと、トルク指令演算部１１０で算出した電動機のトルク指令Ｔとを加算して振動抑制補正後トルク指令Ｔ'としているため、すなわち、電動機によって生じているトルク振動を打ち消すように強弱させて振動を抑制しているため、モータ制御部での演算制御としては有効だが、上位制御装置でのトルク指令演算では通信おくれ等による位相ずれが生じ振動を助長させてしまう場合もある。
【０００６】
また、前述のようにモーターマウントの支持ブッシュの非線形特性の改善や、捩じり共振のバネ要素に相当するドライブシャフトの剛性増大等で対応していているが十分な対策ではなかった。
【０００７】
そこで、本発明はこれら事情に鑑みてなされたものであり、電動モータによって発生しているトルク変動を打ち消すように電動モータへ指示トルクを出力することによる振動抑制手法ではなく、
ドライバの要求モータトルクに対して上限トルクリミッタの制限値を、モータ回転数の関数として設定されたマップ用いて設定する場合において、モータ回転数の振動に伴って上限トルク制限値が変動することを防止して、電動モータへの指示トルクの変動を抑えて、全開加速時の駆動系の捩じり共振の助長を防止することを目的とする。
【課題を解決するための手段】
【０００８】
かかる課題を解決するために、本発明は、駆動輪に電動モータからのトルクを伝達する駆動系に生じる捩り振動を抑制する電動車両の駆動系制振装置において、
アクセル開度と車速に応じて要求モータトルクを算出する要求トルク算出手段と、電動モータの回転数に対する上限トルクを設定したモータトルク上限マップと、該モータトルク上限マップを用いて、モータ回転数検出手段によって検出されたモータ回転数に対する上限トルクを算出する上限トルク算出手段と、前記要求トルク算出手段によって算出された要求トルクに対して、前記上限トルク算出手段によって算出された上限値によって前記要求トルクを制限する上限トルク制限手段と、  前記上限トルク制限手段によって制限されたトルク指令値を電動モータへのトルク指令値として出力するトルク指令値出力手段と、前記モータ回転数検出手段から前記上限トルク算出手段に入力されるモータ回転数信号に対して、前記駆動系の捩じり共振周波数を含む周波数帯域の振動を抑制するフィルタ手段と、を備えたことを特徴とする。
【０００９】
本発明によれば、全開加速運転時に電動モータの性能を確保するために設定される上限トルクリミッタの上限トルクを、上限トルクマップを用いてモータ回転数に対する値として算出する上限トルク算出手段を備え、その上限トルク算出手段へのモータ回転数検出手段からのモータ回転数信号に対して、駆動系の捩じり共振周波数を含む周波数帯域の振動を抑制するフィルタ手段を通過させてから入力する。
【００１０】
従って、図２（ａ）に示すように、モータ回転数信号に対して、全開加速時に生じる駆動系の捩じり共振周波数を含む周波数帯域の振動をフィルタ手段で抑制（減衰）してから上限トルク算出手段に入力される入力するため、上限トルク値の変動が抑えられ、その結果、上限トルク制限手段を通過して制限されたトルク指令値の変動が抑えられて、電動モータの出力変動が抑えられて、駆動系の捩り振動を低減することができる。
【００１１】
また、本発明において好ましくは、前記フィルタ手段は、ローパスフィルタによって構成され、カットオフ周波数が前記駆動系に生じる捩り振動の１次の共振周波数以下であるとよい。
【００１２】
このように構成することによって、問題となる捩り振動の１次の共振周波数成分の振動が減衰されて前記上限トルク算出手段へ入力信号として入力されないので、上限トルクの算出値の変動が抑えられる。
【００１３】
また、本発明において好ましくは、前記駆動系に生じる捩り振動は、前記モータの低回転時における全開加速時の振動であり、前記１次の共振周波数は予め算出または試験によって設定されるとよい。
【００１４】
このように構成することによって低回転時からの全開加速時に問題となる駆動系の捩り振動に対して効果的に減衰効果を発揮することができる。
【００１５】
また、本発明において好ましくは、前記モータトルク上限マップは、横軸にモータ回転数をとり、縦軸にトルク上限値が設定された２次元マップからなり、中回転数領域までは一定のトルク上限値であり、その後回転数の増加に伴ってトルク上限値が減少するように設定されている。
【００１６】
このように、モータトルク上限マップは、電動モータの回転数に対するトルク上限値が設定され、中回転数領域までは一定のトルク上限値であり、その後回転数の増加に伴って減少する減少領域Ａ（図２（ｂ）参照）を有するため、中高回転域、すなわちアクセルの全開加速時にはこの減少領域Ａに入るため、この減少領域の特性に基づいて上限値が設定される。
【００１７】
従って、全開加速時に回転数に振動成分が含まれて変動している場合には設定されるトルク上限値も変動し、さらに、電動モータへのトルク指令値に変動を生じせしめて、駆動系の振動発生源となり、さらに、モータ回転数の実回転数の検出から、トルク指令値として出力されて反映されるまでの遅れ時間、位相のずれによって電動モータの駆動トルクが発散して、駆動系に振動を生じさせる問題を有している。
【００１８】
本発明はこのように、モータトルク上限マップを用いて電動モータのトルク指令値を制御する場合における問題点を解消できるため、モータトルク上限マップを用いてのトルク指令制御に有効である。
【００１９】
また、本発明において好ましくは、前記電動車両が前輪側の電動モータと、後輪側の電動モータとをそれぞれ備え、前輪側の電動モータからのトルクを伝達する前輪駆動系と、後輪側の電動モータからのトルクを伝達する後輪駆動系とにそれぞれ対応した別々のフィルタ手段が設けられるとよい。
【００２０】
このように、電動モータの駆動系ごとにそれぞれ有する捩じり１次共振周波数が異なるため、それに対応したフィルタ手段を設けることで、電動４輪駆動車においても、駆動系の捩り振動を効果的に防止することができる。
【発明の効果】
【００２１】
本発明によれば、ドライバの要求モータトルクに対して上限トルクリミッタの制限値を、モータ回転数の関数として設定されたマップ用いて設定する場合において、モータ回転数の振動に伴って上限トルク制限値が変動することを防止して、電動モータへの指示トルクの変動を抑えて、全開加速時の駆動系の捩じり共振の助長を防止することができる。
【図面の簡単な説明】
【００２２】
【図１】本発明の駆動系制振制御装置を適用した電動車両の全体構成図である。
【図２】駆動系制振制御装置の構成ブロック図である。
【図３】制御有無による試験結果を示す確認データである。
【図４】従来技術を示す構成ブロック図である。
【発明を実施するための形態】
【００２３】
以下、本発明に係る実施形態について図面を用いて詳細に説明する。なお、以下の実施形態に記載されている構成部品の寸法、材質、形状、その相対配置などは特に特定的な記載がない限り、この発明の範囲をそれのみに限定する趣旨ではなく、単なる説明例にすぎない。
【００２４】
図１は本発明が適用される電動車両としてのハイブリッド車両（以下車両という）１を示し、その全体構成図を示す。車両１は、フロント電動モータ３及びリヤ電動モータ５を車両の前後にそれぞれ備え、駆動輪７にトルクを伝達するツインモータ式の４輪駆動車両である。
また、発電用及び駆動に使用するエンジン９を車両前方に配置し、フロント電動モータ３による駆動と、エンジン９による駆動とをフロントトランスファ１１によって切替え可能になっている。エンジン９は車両後方に設置された燃料タンク１３からの燃料で駆動するようになっている。また、フロント電動モータ３からの駆動力はフロントトランスファ１１を介して前輪アクスル１４から駆動輪７に伝達され、また、リヤ電動モータ５からの駆動力はリヤトランスファ１５を介して後輪アクスル１６から駆動輪７に伝達される。
【００２５】
このフロント電動モータ３からフロントトランスファ１１、前輪アクスル１４及び駆動輪７までによってフロント側の駆動系を構成している。また同様に、リヤ電動モータ５からリヤトランスファ１５、後輪アクスル１６及び駆動輪７までによってリヤ側の駆動系を構成している。
【００２６】
また、発電機１８がエンジン９によって駆動されるようにエンジン９に近接して取り付けられており、発電電力がフロントインバータ１９、フロント電動モータ３、駆動用バッテリ２１、リヤインバータ２３、リヤ電動モータ５へ供給されるようになっている。この駆動用バッテリ２１は、床下中央部に配置されており、発電機１８からの発電電力の充電および放電を行っている。
【００２７】
このように構成された車両１において、フロント電動モータ３の駆動を制御するフロント制御部２５と、リヤ電動モータ５の駆動を制御するリヤ制御部２７とを備えた電動モータ制御装置２９が備えられている。
【００２８】
この電動モータ制御装置２９には、アクセル開度センサ３１からアクセル開度（ＡＰＳ）信号、フロント制御部２５、リヤ制御部２７のそれぞれには、電動モータ３、５からモータ回転センサ３ａ、５ａによるモータ回転（Ｎｍ）信号が入力されている。
【００２９】
次に、フロント制御部２５とリヤ制御部２７について説明する。同一の構成を有するため、フロント制御部２５についてのみ図２の制御構成ブロック図を参照して説明する。
【００３０】
フロント制御部２５には、大きく分けて、アクセル開度とモータ回転信号から算出された車速に応じてドライバの要求モータトルクを算出する要求トルク算出手段３５と、モータ回転数センサ３ａによって検出されたモータ回転数に対するフロント電動モータの上限トルクを算出する上限トルク算出手段３７と、該上限トルク算出手段３７によって算出された上限値によって要求トルクを制限する上限トルク制限手段３９と、該上限トルク制限手段３９によって制限されたトルク指令値を電動モータへのトルク指令値として出力するトルク指令値出力手段４１と、モータ回転センサ３ａから前記上限トルク算出手段３３に入力されるモータ回転数信号に対して、駆動系の捩じり共振周波数を含む周波数帯域の振動を抑制するフィルタ手段４３と、を備えている。
【００３１】
要求トルク算出手段３５は、ドライバが要求する必要トルクを、ドライバ要求トルクマップ４５を用いて算出する。このドライバ要求トルクマップ４５は、図２で示すように、アクセル開度ＡＰＳと車速Ｖｓとを基に要求トルクＴＲＱ_ＲＥＱが設定された３次元マップによって構成されている。車速とアクセル開度からドライバの要求トルクが算出される。
【００３２】
また、上限トルク算出手段３７は、フロント電動モータ３の回転数に対する許容最大トルクである上限トルクを、モータトルク上限マップ４７を用いて算出する。このモータトルク上限マップ４７は、図２で示すように、横軸にモータ回転数Ｎｍをとり、縦軸にモータトルク上限値ＴＲＱ_ＬＩＭが設定された２次元マップからなり、中間回転数領域までは一定のトルク上限値に設定され、その後回転数の増加に伴ってトルク上限値が減少する特性に設定されている。
【００３３】
このように、モータトルク上限マップ４７は、電動モータの回転数に対するトルク上限値が設定され、中間回転数領域までは一定のトルク上限値であり、その後、中回転数から高回転数へと回転数の増加に伴って減少する減少領域Ａを有する。このため、中高回転域、すなわちアクセルの全開加速時にはこの減少領域Ａに入るため、この減少領域の特性に基づいて上限値が設定される。従って、全開加速時に回転数に振動成分が含まれて変動している場合には設定されるトルク上限値も変動して出力される問題がある。
【００３４】
例えば、図２の減少領域Ａのモータ回転数Ｎｍにおいては、回転数がＮ１の時点で設定されたトルク上限値に基づいて、ドライバ要求トルクマップ４５からの要求トルクに対して上限リミッタ４９で制限を掛けてその制限後のトルク指令値が電動モータコントローラ若しくはインバータ１９へ出力されて、フロント電動モータ３の駆動力として反映される。
【００３５】
トルク上限値が設定されてからフロント電動モータ３が作動するまでには遅れ時間を要するため、その遅れ時間の間に回転数の変動によって、回転数が下がり、次の演算サイクルで回転数がＮ２の時点で設定されるトルク上限値に基づいて、前記同様に上限リミッタ４９で制限を掛けてその制限後のトルク指令値が電動モータコントローラ若しくはインバータ１９へ出力されて、フロント電動モータ３の駆動力として反映される。
【００３６】
従って、この傾斜領域Ａの部分では、電動モータに回転変動か生じると、その回転変動が、フロント電動モータ３へのトルク指令値に変動を生じせしめて、駆動系の振動発生源となる（図２（ｂ）、（ｄ））。
さらに、モータ回転数の実回転数の検出から、トルク指令値として出力されて反映されるまでの遅れ時間、位相のずれによってフロント電動モータ３の駆動トルクが発散して、駆動系に振動を生じさせる問題がある。
【００３７】
以上のように、全開加速時のようにモータ回転数Ｎｍが傾斜領域Ａに入るような場合には、モータ回転に振動成分が乗っていると、特に、駆動系の捩じり共振周波数帯の振動成分が乗っていると、上限トルク値がその振動周波数で振動して、その結果として上限リミッタ４９によって制限を行った後のトルク指令値も、その振動周波数で振動し駆動系が捩じり共振を生じるおそれがあるため、全開加速時の駆動系の捩じり共振対策として、上限トルク算出手段３７へ入力されるモータ回転数信号から問題となる駆動系の捩じり共振周波数帯の振動成分を抑制するために、フィルタ手段４３が設けられている。
【００３８】
フィルタ手段４３は、ローパスフィルタ（ＬＰＦ）５１によって構成されており、モータ回転センサ３ａからの信号を通過させることで、カットオフ周波数の設定によって、その周波数より高い周波数の振動成分を減衰させる。
【００３９】
具体的には、次の式（１）によって振動抑制機能を表わすことができる。
Ｎｍ（ｎ）＝Ｋ×Ｎｍ（ｒ）＋（１−Ｋ）Ｎｍ（ｎ−１）      …（１）
【００４０】
ここで、Ｎｍ（ｎ）：モータ回転数（フィルタ出力値）、Ｎｍ（ｒ）：モータ回転数（フィルタ入力値）、Ｋ：フィルタゲイン（Ｋ＝Ｆｃ×２π×０．０１）、Ｆｃ：カットオフ周波数（Ｈｚ）である。
【００４１】
また、カットオフ周波数Ｆｃ（１Ｈｚ〜１６Ｈｚの例）とフィルタゲインＫとの具体的な対応関係は、
Ｆｃ＝１でＫ＝０．０６３、Ｆｃ＝５でＫ＝０．３１４、Ｆｃ＝８でＫ＝０．５０２、
Ｆｃ＝１０でＫ＝０．６２８、Ｆｃ＝１６でＫ＝１．０００となる。
【００４２】
前記式（１）の意味は、カットオフ周期数Ｆｃを下げるには、フィルタゲインＫが小さくする。その結果（１−Ｋ）が大きくなり、前回演算サイクルでのモータ回転数（フィルタ出力値）Ｎｍ（ｎ−１）の重み付けが大きくなり、今回演算サイクルでのモータ回転数Ｎｍ（ｒ）の重み付けが小さくなることで、減衰効果を大きくする。
【００４３】
従って、カットオフ周波数Ｆｃを制御して、駆動系の捩じり１次の共振周波数が、高周波側帯域の範囲に入るように減衰することで、モータトルク上限マップ４７の傾斜領域Ａの部分での、上限トルク値の変動を抑制している。
【００４４】
また、上限トルク制限手段３９は、モータトルク上限マップ４７を用いて算出したトルク上限値を用いて、ドライバ要求トルクマップ４５を用いて算出した要求トルクを制限する。
また、トルク指令値出力手段４１は、上限トルク制限手段３９によって制限された要求トルクを用いて、フロント電動モータ３のモータ指示トルクの指令値として、電動モータコントローラ若しくはインバータ１９へ出力する。
【００４５】
以上の電動モータ制御装置２９の構成によって、振動抑制の制御の流れについて図２を参照して説明する。
モータ回転センサ３ａのモータ回転（Ｎｍ）信号をフィルタ手段４３であるローパスフィルタ（ＬＰＦ）５１を通過させる。このときの、時間経過に対するモータ回転数Ｎｍの変化を説明図２（ａ）に示す。
【００４６】
図２（ａ）は、低回転時からのアクセルペダル全開加速時を示しており、モータ回転数Ｎｍには、振動成分が含まれており、その振動成分の内、駆動系の捩り１次共振周波数をカットオフ周波数以上の周波数帯に含むように、カットオフ周波数Ｆｃ（例えば１０Ｈｚ）とフィルタゲインＫとを設定する。
この捩り１次共振周波数は、駆動系を構成するドライブシャフトの径の大きさや、駆動系を支持するブッシュ構造等によって異なるため、予め試験によって、または解析計算によって算出しておく。
【００４７】
図２（ａ）には、アクセル全開加速時のローパスフィルタ（ＬＰＦ）５１の有無によるローパスフィルタ５１の出力側信号を示す。問題となる共振周波数成分（例えば１０Ｈｚ）が抑制されて、加速時の回転数信号は、緩やかな回転数上昇特性となる。
【００４８】
次に、この回転数Ｎｍの上昇信号が、上限トルク算出手段３７に入力される。回転数Ｎｍの振動成分は抑制されているため、モータトルク上限マップ４７によって算出されるトルク上限値ＴＲＱ_ＬＩＭは、図２（ｂ）の水平ライン、傾斜ラインによって特定されるトルク上限値を算出して設定する。回転数Ｎｍの振動成分が抑制されているため、傾斜ラインに沿った（傾斜ラインに乗った）トルク上限値に設定される。
【００４９】
設定されたトルク上限値を用いて、上限トルク制限手段３９の上限リミッタ４９によって、ドライバ要求トルクマップ４５を用いて算出された要求トルク（図２（ｃ）参照）に制限を掛ける。この制限を掛けた後の要求トルクＴＲＱ_ＲＥＱは、図２（ｄ）の特性グラフに示すように、ローパスフィルタ（ＬＰＦ）５１を通過させた場合には、トルク上限値に変動成分が含まないため、上限リミッタ４９で制限されて生成されるモータ指示トルクには、振動成分の変動が生じないため、低回転時における全開アクセル開度の加速時において、駆動系の捩じり共振を抑制することができる。
【００５０】
本発明の制御を実施した場合、つまりローパスフィルタ５１を通過させて、モータトルク上限マップ４７へ、フロント電動モータ３の回転数Ｎｍの信号を入力した場合と、ローパスフィルタ５１を設けなかった場合との振動レベルの変化について確認した。
試験結果のデータを図３に示す。図３は時間を横軸にとり、振動レベルを縦軸にとり、時間経過による振動レベルを比較したものである。振動レベルの中央部分の太字で濃くなっている範囲が制御ありの状態である。制御ありの場合には振動レベルが、図３のＣの範囲だけ減少していることが分かり、大幅に減少（略１／３）したことを確認できた。
【産業上の利用可能性】
【００５１】
本発明によれば、ドライバの要求モータトルクに対して上限トルクリミッタの制限値を、モータ回転数の関数として設定されたマップ用いて設定する場合において、モータ回転数の振動に伴って上限トルク制限値が変動することを防止して、電動モータへの指示トルクの変動を抑えて、全開加速時の駆動系の捩じり共振の助長を防止することができるので、電動車両の電動モータのトルク指令制御への適用技術として有用である。
【符号の説明】
【００５２】
１  ハイブリッド車両（電動車両）
３  フロント電動モータ（電動モータ）
３ａ、５ａ  モータ回転数センサ（モータ回転数検出手段）
５  リヤ電動モータ（電動モータ）
７  駆動輪
２５  フロント制御部
２７  リヤ制御部
２９  電動モータ制御装置（駆動系制振制御装置）
３１  アクセル開度センサ
３５  要求トルク算出手段
３７  上限トルク算出手段
３９  上限トルク制限手段
４１  トルク指令値出力手段
４３  フィルタ手段
４５  ドライバ要求トルクマップ
４７  モータトルク上限マップ
４９  上限リミッタ
５１  ローパスフィルタ
【図１】
2014128088.tif 000003
【図２】
2014128088.tif 000004
【図３】
2014128088.tif 000005
【図４】
2014128088.tif 000006